(57)【特許請求の範囲】
【請求項１】
気体を噴出することによって被処理物に対する処理を行う気体噴出処理装置であって、
ハウジングと、
通気性を有し、前記ハウジングの上流側の壁部に形成された入口部を通って当該ハウジングの内部に流入し、前記ハウジングの下流側の壁部に形成された出口部を通って当該ハウジングの外部に流出し、少なくとも前記ハウジング内において前記被処理物を搬送するコンベアと、
前記ハウジング内において前記コンベアの上方に設けられた上側チャンバと、
前記上側チャンバに対応して前記コンベアの下方に設けられた下側チャンバと、
前記上側チャンバに設けられ、当該上側チャンバの内部の気体を下方に向かう成分を有する気体噴出方向に噴出する複数の筒状の上側ノズルと、
前記下側チャンバに設けられ、当該下側チャンバの内部の気体を上方に向かう成分を有する気体噴出方向に噴出する複数の筒状の下側ノズルと
を有し、
前記上側チャンバの下面は水平であり、
前記上側ノズルのうち、前記上側チャンバのうちの前記ハウジングの前記入口部及び／又は前記出口部の形成された前記壁部の側の部分に形成されたものは、その途中で折り曲げられており、そのうちの基端部の側の略半部は鉛直下方に向かっており、そのうちの先端部の側の略半部は鉛直下方に向かうにつれて当該壁部から離隔するように鉛直下方から傾斜しており、
前記下側チャンバの上面は水平であり、
前記下側ノズルのうち、前記下側チャンバのうちの前記ハウジングの前記入口部及び／又は前記出口部の形成された前記壁部の側の部分に形成されたものは、その途中で折り曲げられており、そのうちの基端部の側の略半部は鉛直上方に向かっており、そのうちの先端部の側の略半部は鉛直上方に向かうにつれて当該壁部から離隔するように鉛直上方から傾斜しており、
前記上側チャンバのうちの前記ハウジングの前記入口部及び／又は前記出口部の形成された前記壁部の側の部分にのみ、当該チャンバの内部空間とは隔絶された状態で当該上側チャンバを貫通する上側貫通流路が形成されている、
気体噴出処理装置。
【発明の詳細な説明】
【技術分野】
【０００１】
この発明は、建材や食品等の被処理物Ｗ（ワークともいう）に対して気体（高温又は常温の空気等）を噴出して、乾燥，加熱，冷却等の処理を行う装置に関するものである。
【０００２】
この種の装置としては、従来より、次の構造のものがある。その一例が特許文献１に記載されている。
図６にその一部を示すように、一般的に、従来の装置は、ハウジング５１０，コンベア５２０，上側チャンバ５３０ａ，下側チャンバ５３０ｂを有している。
ハウジング５１０は、ほぼ閉じた空間を形成している。
コンベア５２０は、通気性を有するものであり、エンドレス状をしている（上側の往路部５２１ａと下側の復路部５２１ｂを形成する）。
コンベア５２０は、ハウジング５１０の外部に位置する一対の支持部（図示なし）によて支持されている。
ハウジング５１０の上流側の壁部には入口部（往路用入口部）及び復路用出口部（いずれも図示なし）が形成されており、ハウジング５１０の下流側の壁部には出口部（往路用出口部５１２Ｂ）及び復路用入口部５１４Ｂが形成されている。
コンベア５２０の往路部５２１ａは入口部（往路用入口部）を通ってハウジング５１０の内部に流入し、出口部（往路用出口部５１２Ｂ）を通ってハウジング５１０の外部に流出する。復路部５２１ｂは、復路用入口部５１４Ｂを通ってハウジング５１０の内部に流入し、復路用出口部を通ってハウジング５１０の外部に流出する。
【０００３】
上側チャンバ５３０ａは、ハウジング５１０内において、コンベア５２０（往路部５２１ａ）の上側に位置している。下側チャンバ５３０ｂは、ハウジング５１０内において、コンベア５２０（往路部５２１ａ）の下側に位置している。
上側チャンバ５３０ａには、下方に向けて熱風（気体）を噴出する多数のノズル（上側ノズル５４０ａ）が設けられている。下側チャンバ５３０ｂには、上方に向けて熱風（気体）を噴出する多数のノズル（下側ノズル５４０ｂ）が設けられている。
【０００４】
そして、コンベア５２０が循環することによって、コンベア５２０（往路部５２１ａ）に載置された被処理物Ｗは、ハウジング５１０内を移動しつつ、上側チャンバ５３０ａの各上側ノズル５４０ａから噴出される熱風、及び、下側チャンバ５３０ｂの各下側ノズル５４０ｂから噴出される熱風を受け、乾燥，加熱等の処理が行われる。
【０００５】
そして、従来のこの種の装置においては、一般的に、上側チャンバ５３０ａに設けられた上側ノズル５４０ａの気体噴出方向は下方（鉛直下方）であり、下側チャンバ５３０ｂの設けられた下側ノズル５４０ｂの気体噴出方向は上方（鉛直上方）である。
【０００６】
ところで、被処理物Ｗが通気性を有するものの場合は、上側ノズル５４０ａから噴出され下方に向かって流れる熱風は、被処理物Ｗを通過して、さらに下方に向かって流れる。
同様に、下側ノズル５４０ｂから噴出され上方に向かって流れる熱風は、被処理物Ｗを通過して、さらに上方に向かって流れる。
【０００７】
しかしながら、被処理物Ｗが通気性を有さないものの場合は、次のようになる。上側ノズル５４０ａから噴出され下方に向かって流れる熱風は、被処理物Ｗに到達した後に、被処理物Ｗによって反射して各方向に流れたり、被処理物Ｗの上面に沿って各方向に流れたりする。同様に、下側ノズル５４０ｂから噴出され上方に向かって流れる熱風は、被処理物Ｗに到達した後に、被処理物Ｗによって反射して各方向に流れたり、被処理物Ｗの下面に沿って各方向に流れたりする。
【０００８】
このため、ハウジング５１０の入口部（往路用入口部）及び出口部（往路用出口部５１２Ｂ）の近傍においては、上側ノズル５４０ａ／下側ノズル５４０ｂから噴出された熱風が被処理物Ｗに到達した後に、その熱風の一部は、入口部（往路用入口部）及び出口部（往路用出口部５１２Ｂ）を通ってハウジング５１０の外部に流出してしまう。
これによって、ハウジング５１０内から熱エネルギーが流出することとなり、省エネルギーに反することとなる。
【先行技術文献】
【特許文献】
【０００９】
【特許文献１】特開２０００−１４６４０１号公報
【発明の概要】
【発明が解決しようとする課題】
【００１０】
本発明は、被処理物に対して気体を噴出させる気体噴出処理装置において、その気体が外部に流出することを防止（低減）することを課題とする。
【課題を解決するための手段】
【００１１】
この課題を解決するために、請求項１に係る発明は、気体を噴出することによって被処理物に対する処理を行う気体噴出処理装置であって、ハウジングと、通気性を有し、前記ハウジングの上流側の壁部に形成された入口部を通って当該ハウジングの内部に流入し、前記ハウジングの下流側の壁部に形成された出口部を通って当該ハウジングの外部に流出し、少なくとも前記ハウジング内において前記被処理物を搬送するコンベアと、前記ハウジング内において前記コンベアの上方に設けられた上側チャンバと、前記上側チャンバに対応して前記コンベアの下方に設けられた下側チャンバと、前記上側チャンバに設けられ、当該上側チャンバの内部の気体を下方に向かう成分を有する気体噴出方向に噴出する複数の筒状の上側ノズルと、前記下側チャンバに設けられ、当該下側チャンバの内部の気体を上方に向かう成分を有する気体噴出方向に噴出する複数の筒状の下側ノズルとを有し、前記上側チャンバの下面は水平であり、前記上側ノズルのうち、前記上側チャンバのうちの前記ハウジングの前記入口部及び／又は前記出口部の形成された前記壁部の側の部分に形成されたものは、その途中で折り曲げられており、そのうちの基端部の側の略半部は鉛直下方に向かっており、そのうちの先端部の側の略半部は鉛直下方に向かうにつれて当該壁部から離隔するように鉛直下方から傾斜しており、前記下側チャンバの上面は水平であり、前記下側ノズルのうち、前記下側チャンバのうちの前記ハウジングの前記入口部及び／又は前記出口部の形成された前記壁部の側の部分に形成されたものは、その途中で折り曲げられており、そのうちの基端部の側の略半部は鉛直上方に向かっており、そのうちの先端部の側の略半部は鉛直上方に向かうにつれて当該壁部から離隔するように鉛直上方から傾斜しており、前記上側チャンバのうちの前記ハウジングの前記入口部及び／又は前記出口部の形成された前記壁部の側の部分にのみ、当該チャンバの内部空間とは隔絶された状態で当該上側チャンバを貫通する上側貫通流路が形成されている、気体噴出処理装置である。
【００１２】
「前記上側チャンバのうちの前記ハウジングの前記入口部及び／又は前記出口部の形成された前記壁部の側の部分」とは、その壁部に対して接近・離隔する方向に沿って複数の上側チャンバが存在する場合には、そのうちその壁部に最も近い上側チャンバのうちの当該壁部の側の部分のことをいう。
同様に、「前記下側チャンバのうちの前記ハウジングの前記入口部及び／又は前記出口部の形成された前記壁部の側の部分」とは、その壁部に対して接近・離隔する方向に沿って複数の下側チャンバが存在する場合には、そのうちその壁部に最も近い下側チャンバのうちの当該壁部の側の部分のことをいう。
【００１３】
この発明の気体噴出処理装置では、コンベアによって被処理物がハウジング内を搬送されつつ、上側チャンバの複数の上側ノズルから噴出される気体、及び、下側チャンバの複数の下側ノズルから噴出される気体によって、その被処理物に対して処理が行われる。
【００１４】
その際、ハウジングの入口部及び／又は出口部の形成された壁部の近傍においては、次の作用効果が得られる。
すなわち、この発明の気体噴出処理装置では、上側／下側チャンバのうちの当該壁部の側の部分に設けられた上側／下側ノズルの気体噴出方向は、下方／上方に向かうにつれて当該壁部から離隔するように、下方／上方から傾斜している。このため、その上側／下側ノズルから噴出された気体は、下方／上方に向かうにつれて当該壁部から離隔するように流れて被処理物に到達し、その被処理物が通気性を有さないものの場合には、その気体は、その後、当該壁部から離隔する成分を有する方向に流れる。
このため、その上側／下側ノズルから噴出されて被処理物に到達した気体は、ハウジングの入口部及び／又は出口部から流出することが防止（又は低減）される。そして、その気体が高温のもの（熱風）の場合には、ハウジングから熱エネルギーが流出することが防止され、省エネルギーが図られる。
【００１５】
この発明の気体噴出処理装置では、さらに、次の作用効果が得られる。
すなわち、上側ノズルから噴出されて被処理物に到達した気体のうち、被処理物によって反射して上方成分を有する方向に流れるものの一部は、上側チャンバに形成された上側貫通流路を通って、ハウジング内のうちの上側チャンバよりも上側の空間に流れる。
このため、上側ノズルから噴出されて被処理物に到達した気体について、その分、ハウジングの入口部及び／又は出口部から流出することが防止（又は低減）される。そして、その気体が高温のもの（熱風）の場合には、ハウジングから熱エネルギーが流出することが防止され、省エネルギーが図られる。
【００１６】
また、下側ノズルから噴出された気体のうち、被処理物（通気性を有する場合）を通過して、又は、コンベアのうち被処理物の存在しない部位を通過して、コンベアより上の空間を上方成分を有する方向に流れるものの一部は、上側チャンバに形成された貫通流路を通って、ハウジング内のうちの上側チャンバよりも上側の空間に流れる。
このため、下側ノズルから噴出された気体についても、その分、ハウジングの入口部及び／又は出口部から流出することが防止（又は低減）される。そして、その気体が高温のもの（熱風）の場合には、ハウジングから熱エネルギーが流出することが防止され、省エネルギーが図られる。
【図面の簡単な説明】
【００１７】
【図１】本発明の参考例１の熱風噴出乾燥装置の縦断面図である。被処理物の進行方向に延びる仮想鉛直面で切断した際の縦断面図（一部はその端面）である。その一部はさらに仮想的に破断され、その破断端面が示されている。
【図２】本発明の参考例１の熱風噴出乾燥装置の縦断面図である。被処理物の進行方向と垂直に延びる仮想鉛直面で切断した際の縦断面図である。その一部はさらに仮想的に破断され、その破断端面が示されている。
【図３】本発明の参考例１の熱風噴出乾燥装置の要部の縦断面図である。図１の部分拡大図である。
【図４】本発明の実施例１の熱風噴出乾燥装置の要部の縦断面図である。
【図５】本発明の参考例２の熱風噴出乾燥装置の要部の縦断面図である。
【図６】従来の熱風噴出乾燥装置の要部の縦断面図である。
【発明を実施するための形態】
【００１８】
［参考例１］
次に、本発明の参考例１の熱風噴出乾燥装置（気体噴出処理装置）について、図１〜図３に基づいて説明する。
【００１９】
図１及び図２に示すように、この熱風噴出乾燥装置は、ハウジング１０，コンベア２０，上側チャンバ３０ａ，下側チャンバ３０ｂ等を有している。
そして、この熱風噴出乾燥装置は、熱風によって、板材や食品（いずれも乾燥処理前のもの）等の被処理物Ｗを乾燥（処理）させるものである。
【００２０】
ハウジング１０は、直方体状をしている。
すなわち、ハウジング１０は、前後に一対の幅方向壁部１１ａ，左右に一対の長さ方向壁部１１ｂ，底板部１１ｃ，上板部１１ｄを有しており、その内側に、ほぼ閉じた空間を形成している。各幅方向壁部１１ａはハウジング１０の幅方向に延び、各長さ方向壁部１１ｂはハウジング１０の長さ方向（コンベア２０の進行方向）に延びている。
【００２１】
図１に示すように、コンベア２０は、エンドレス状をなし、ハウジング１０の長さ方向に延びている。コンベア２０は、ハウジング１０の外部に位置する一対の支持部１６によって支持されている。各支持部１６はスプロケットを主材とするとともに、そのうちの一方には駆動用モータ（図示省略）が設けられている。
コンベア２０は、進行方向とは垂直の水平方向（ハウジング１０の幅方向）に延びる多数のパイプが隙間を隔てて進行方向（ハウジング１０の長さ方向）に連ねられて形成されている。このため、コンベア２０を横断（貫通）して空気（気体）が流通可能である。
エンドレス状のコンベア２０のうちの上側部分が往路部２１ａであり、下側部分が復路部２１ｂである。
なお、図面中、コンベア２０，支持部１６等については模式的に簡略に示されている。
【００２２】
ハウジング１０の上流側の幅方向壁部１１ａには往路用入口部１２Ａ（入口部）及び復路用出口部１４Ａが形成されており、ハウジング１０の下流側の幅方向壁部１１ａには往路用出口部１２Ｂ（出口部）及び復路用入口部１４Ｂが形成されている。
コンベア２０の往路部２１ａは、往路用入口部１２Ａを通ってハウジング１０の内部に流入し、往路用出口部１２Ｂを通ってハウジング１０の外部に流出する。復路部２１ｂは、復路用入口部１４Ｂを通ってハウジング１０の内部に流入し、復路用出口部１４Ａを通ってハウジング１０の外部に流出する。
【００２３】
こうして、図１及び図３に示すように、コンベア２０の往路部２１ａに被処理物Ｗが載置された状態でコンベア２０が循環することによって、コンベア２０（その往路部２１ａ）によって被処理物Ｗが移動される。
すなわち、図１に示すように、被処理物Ｗは、往路用入口部１２Ａを通ってハウジング１０内に入り、ハウジング１０内を移動し、往路用出口部１２Ｂを通ってハウジング１０から出る。
【００２４】
図１及び図２に示すように、上側チャンバ３０ａ及び下側チャンバ３０ｂは、ハウジング１０内に配設されている。上側チャンバ３０ａ及び下側チャンバ３０ｂは、上下に対状をなし、ハウジング１０の長さ方向（被処理物Ｗの進行方向）に沿って複数組設けられている。
【００２５】
ハウジング１０には、各組の上側チャンバ３０ａ及び下側チャンバ３０ｂに対応して、バーナ５０及びダクト６０が設けられている。
ここで、ハウジング１０のうち上側チャンバ３０ａよりも上側の空間を上部空間１８ということとする。 
ダクト６０の上流端の開口部６１及びバーナ５０（その吹き出し口の先端部）は、いずれも、上部空間１８に位置している。
【００２６】
図２に示すように、ダクト６０は、途中で２股に分岐し、その各下流端部は上側チャンバ３０ａ及び下側チャンバ３０ｂに接続されている。
図１及び図２に示すように、ダクト６０の内部（例えば、開口部６１の近傍）には、ファン６２が設けられている。
このため、バーナ５０によって高温にされた空気が、ファン６２によって開口部６１を通ってダクト６０内に流入し、ダクト６０内を流れ、上側チャンバ３０ａ及び下側チャンバ３０ｂに流入する。
【００２７】
各上側チャンバ３０ａは、コンベア２０の往路部２１ａの上方に位置している。各下側チャンバ３０ｂは、コンベア２０の往路部２１ａの下方であってコンベア２０の復路部２１ｂの上方に位置している。
図１〜図３に示すように、各上側チャンバ３０ａは、ほぼ直方体状の容器状をしており、その水平な下面３１ａには、多数のノズル（上側ノズル４０ａ）が設けられている。各上側ノズル４０ａは、まっすぐな円筒状をしている。上側チャンバ３０ａ内の高温の空気（熱風）は、上側ノズル４０ａから噴射される。
同様に、各下側チャンバ３０ｂは、ほぼ直方体状の容器状をしており、その水平な上面３１ｂには、多数のノズル（下側ノズル４０ｂ）が設けられている。各下側ノズル４０ｂも、まっすぐな円筒状をしている。下側チャンバ３０ｂ内の高温の空気（熱風）は、下側ノズル４０ｂから噴射される。
【００２８】
そして、図１及び図３に示すように、この熱風噴出乾燥装置では、各上側チャンバ３０ａ及び下側チャンバ３０ｂのうち、一対の幅方向壁部１１ａの側の縁部において、次のようにされている（図３においては、下流側の幅方向壁部１１ａの側の縁部のみが示されているが、上流側の幅方向壁部１１ａの側の縁部においても同様である）。
なお、前述したように上側チャンバ３０ａ及び下側チャンバ３０ｂは対状をなしハウジング１０の長さ方向に沿って複数組設けられているため、上側チャンバ３０ａ及び下側チャンバ３０ｂの上流側の幅方向壁部１１ａの側の縁部とは、複数組の上側チャンバ３０ａ及び下側チャンバ３０ｂのうち、最も上流側の組の上側チャンバ３０ａ及び下側チャンバ３０ｂの上流側の幅方向壁部１１ａの側の縁部のことをいう。同様に、上側チャンバ３０ａ及び下側チャンバ３０ｂの下流側の幅方向壁部１１ａの側の縁部とは、複数組の上側チャンバ３０ａ及び下側チャンバ３０ｂのうち、最も下流側の組の上側チャンバ３０ａ及び下側チャンバ３０ｂの下流側の幅方向壁部１１ａの側の縁部のことをいう。
【００２９】
上側チャンバ３０ａに設けられている多数の上側ノズル４０ａのうち、上側チャンバ３０ａのうちの上流側・下流側の各幅方向壁部１１ａの側の部分に設けられた上側ノズル４０ａは、下方（鉛直下方）に向かうにつれて幅方向壁部１１ａから離隔するように、下方（鉛直下方）から傾斜して延びている。
この上側ノズル４０ａのことを上側内側傾斜ノズル４０ａｘということとする。上側内側傾斜ノズル４０ａｘは、多数の上側ノズル４０ａのうち、各幅方向壁部１１ａの側の数列（２〜４列）の上側ノズル４０ａである。
すなわち、上側内側傾斜ノズル４０ａｘの気体噴出方向は、下方（鉛直下方）に向かうにつれて幅方向壁部１１ａから離隔するように下方（鉛直下方）から傾斜している。別の見方をすると、上側内側傾斜ノズル４０ａｘの気体噴出方向は、下方（鉛直下方）に向かうにつれてハウジング１０の内側方向に向かうように、下方（鉛直下方）から傾斜している、ともいえる。
一方、それ以外の部分の上側ノズル４０ａは、下方（鉛直下方）に向かって延びている。この上側ノズル４０ａのことを上側通常ノズル４０ａｎということとする。すなわち、上側通常ノズル４０ａｎの気体噴出方向は、下方（鉛直下方）である。
【００３０】
同様に、下側チャンバ３０ｂに設けられている多数の下側ノズル４０ｂのうち、下側チャンバ３０ｂのうちの各幅方向壁部１１ａの側の部分に設けられた下側ノズル４０ｂは、上方（鉛直上方）に向かうにつれて幅方向壁部１１ａから離隔するように、上方（鉛直上方）から傾斜して延びている。
この下側ノズル４０ｂのことを下側内側傾斜ノズル４０ｂｘということとする。下側内側傾斜ノズル４０ｂｘは、多数の下側ノズル４０ｂのうち、各幅方向壁部１１ａの側の数列（２〜４列）の下側ノズル４０ｂである。
すなわち、下側内側傾斜ノズル４０ｂｘの気体噴出方向は、上方（鉛直上方）に向かうにつれて幅方向壁部１１ａから離隔するように、上方（鉛直上方）から傾斜している。別の見方をすると、下側内側傾斜ノズル４０ｂｘの気体噴出方向は、上方（鉛直上方）に向かうにつれてハウジング１０の内側方向に向かうように、上方（鉛直上方）から傾斜している、ともいえる。
一方、それ以外の部分の下側ノズル４０ｂは、上方（鉛直上方）に向かって延びている。この下側ノズル４０ｂのことを下側通常ノズル４０ｂｎということとする。すなわち、下側通常ノズル４０ｂｎの気体噴出方向は、上方（鉛直上方）である。
【００３１】
また、上側チャンバ３０ａのうちの各幅方向壁部１１ａの側の部分には、複数の上側貫通流路３５ａが設けられている。上側貫通流路３５ａは、上側チャンバ３０ａの内部空間とは隔絶された状態で、上側チャンバ３０ａを貫通する流路である。すなわち、上側貫通流路３５ａは、上側チャンバ３０ａと下側チャンバ３０ｂとの間の空間と、上部空間１８（上側チャンバ３０ａよりの上側の空間）とを連通している。
【００３２】
次に、この熱風噴出乾燥装置（気体噴出処理装置）の作用効果について説明する。
図１に示すように、コンベア２０の往路部２１ａに、乾燥処理前の状態の板材等、通気性を有さない被処理物Ｗが載置される。そして、コンベア２０が循環することによって、被処理物Ｗがハウジング１０内を往路用入口部１２Ａ（入口部）から往路用出口部１２Ｂ（出口部）まで移動する。
一方、ハウジング１０内においては、上側チャンバ３０ａの上側ノズル４０ａから下方（鉛直下方）又は斜め下方に熱風が噴出され、下側チャンバ３０ｂの下側ノズル４０ｂから上方（鉛直上方）又は斜め上方に熱風が噴出される。
このため、ハウジング１０内を移動する被処理物Ｗは、その上方（斜め上方を含む）及び下方（斜め下方を含む）の両方から熱風を受け、乾燥する。
【００３３】
その際、図３等に基づいて前述したように、この熱風噴出乾燥装置では、上側通常ノズル４０ａｎから下方（鉛直下方）に熱風が噴出され、下側通常ノズル４０ｂｎから上方（鉛直上方）に熱風が噴出される。
このため、図３に示すように、被処理物Ｗが通気性を有さないため、上側通常ノズル４０ａｎ／下側通常ノズル４０ｂｎから噴出された熱風は、被処理物Ｗに到達した後に、被処理物Ｗによって反射して各方向に（ワークの形状にもよるが原則的には均等に各方向に流れたり、被処理物Ｗの上面／下面に沿って各方向に（同じく原則的には均等に各方向に）に流れたりしようとする。
【００３４】
一方、同じく図３等に基づいて前述したように、上側内側傾斜ノズル４０ａｘからは、下方（鉛直下方）に向かうにつれて幅方向壁部１１ａから離隔するように、下方（鉛直下方）から傾斜する方向に熱風が噴出される。
このため、上側内側傾斜ノズル４０ａｘから噴出された熱風は、被処理物Ｗに到達した後には、被処理物Ｗによって反射して幅方向壁部１１ａから離隔する成分を有する方向に流れたり、被処理物Ｗの上面に沿って幅方向壁部１１ａから離隔する方向に流れたりする。
すなわち、上側内側傾斜ノズル４０ａｘから噴出された熱風は、被処理物Ｗに到達する前においても、被処理物Ｗに到達した後においても、幅方向壁部１１ａから離隔する成分を有する方向に流れる。
【００３５】
同様に、下側内側傾斜ノズル４０ｂｘからは、上方（鉛直上方）に向かうにつれて幅方向壁部１１ａから離隔するように、上方（鉛直上方）から傾斜する方向に熱風が噴出される。
このため、下側内側傾斜ノズル４０ｂｘから噴出された熱風は、被処理物Ｗに到達した後には、被処理物Ｗによって反射して幅方向壁部１１ａから離隔する成分を有する方向に流れたり、被処理物Ｗの上面に沿って幅方向壁部１１ａから離隔する方向に流れたりする。
すなわち、下側内側傾斜ノズル４０ｂｘから噴出された熱風は、被処理物Ｗに到達する前においても、被処理物Ｗに到達した後においても、幅方向壁部１１ａから離隔する成分を有する方向に流れる。
【００３６】
このため、幅方向壁部１１ａの近傍においては、上側内側傾斜ノズル４０ａｘ，下側内側傾斜ノズル４０ｂｘから噴出され幅方向壁部１１ａから離隔する成分を有する方向に流れる（被処理物Ｗに対する到達の前後を問わない）熱風によって、上側通常ノズル４０ａｎ，下側通常ノズル４０ｂｎから噴出され被処理物Ｗに到達した後に幅方向壁部１１ａに接近する成分を有する方向に流れようとする熱風は相殺され、熱風は、全体として、幅方向壁部１１ａから離隔する成分を有する方向に流れる。
このため、その上側ノズル４０ａ（上側内側傾斜ノズル４０ａｘ，上側通常ノズル４０ａｎ），下側ノズル４０ｂ（下側内側傾斜ノズル４０ｂｘ，下側通常ノズル４０ｂｎ）から噴出された熱風が、その後においてハウジング１０の往路用入口部１２Ａ（入口部）（図３においては図示なし），往路用出口部１２Ｂ（出口部）から流出することが防止又は低減される。
【００３７】
また、同じく図３に示すように、被処理物Ｗの上側のうちの幅方向壁部１１ａの近傍においては、上側ノズル４０ａ（上側内側傾斜ノズル４０ａｘ，上側通常ノズル４０ａｎ）から噴出され被処理物Ｗに到達した後に被処理物Ｗによって反射して上方成分を有する方向に流れる熱風のうちの一部は、上側貫通流路３５ａを通って上部空間１８に流れる（戻る）。
このため、上側ノズル４０ａ（上側内側傾斜ノズル４０ａｘ，上側通常ノズル４０ａｎ）から噴出され被処理物Ｗに到達した熱風のうち、その分は、ハウジング１０の往路用入口部１２Ａ（入口部）（図３においては図示なし），往路用出口部１２Ｂ（出口部）から
流出することがない。
このことによっても、上側ノズル４０ａ（上側内側傾斜ノズル４０ａｘ，上側通常ノズル４０ａｎ）から噴出されて被処理物Ｗに到達した熱風がハウジング１０の往路用入口部１２Ａ（入口部）（図３においては図示なし），往路用出口部１２Ｂ（出口部）から流出することが防止又は低減される。
【００３８】
また、下側ノズル４０ｂ（下側内側傾斜ノズル４０ｂｘ，下側通常ノズル４０ｂｎ）から噴出された熱風のうち、コンベア２０（往路部２１ａ）のうち被処理物Ｗの存在しない部位を通過して、コンベア２０（往路部２１ａ）より上の空間を上方成分を有する方向に流れるものの一部は、上側貫通流路３５ａを通って上部空間１８に流れる（戻る）。
このため、下側ノズル４０ｂ（下側内側傾斜ノズル４０ｂｘ，下側通常ノズル４０ｂｎ）から噴出された熱風についても、その分、ハウジング１０の往路用入口部１２Ａ（入口部）（図３においては図示なし），往路用出口部１２Ｂ（出口部）から流出することが防止又は低減される。
【００３９】
以上のようにして、この熱風噴出乾燥装置（気体噴出処理装置）では、ハウジング１０の往路用入口部１２Ａ（入口部）及び往路用出口部１２Ｂ（出口部）を通って熱風がハウジング１０の外部に流出することが防止又は低減され、省エネルギーが図られるのである。
【００４０】
［実施例１］
次に、本発明の実施例１の熱風噴出乾燥装置（気体噴出処理装置）について、参考例１との相違点を中心に、図４に基づいて説明する。実施例１のうち、参考例１と共通又は対応する要素については、同一又は対応する（下２桁が同一）の符号を付して、説明を適宜省略する。このことは以下同様である。
【００４１】
各上側チャンバ３０ａの水平な下面３１ａには、多数のノズル（上側ノズル１４０ａ）が設けられている。各上側ノズル１４０ａ（その基端部）は、上側チャンバ３０ａの水平な下面３１ａに対して垂直に設けられている。
同様に、各下側チャンバ３０ｂの水平な上面３１ｂには、多数のノズル（下側ノズル１４０ｂ）が設けられている。各下側ノズル１４０ｂ（その基端部）は、下側チャンバ３０ｂの水平な上面３１ｂに対して垂直に設けられている。
【００４２】
多数の上側ノズル１４０ａのうち、上側通常ノズル１４０ａｎはまっすぐな円筒状をしており、上側通常ノズル１４０ａｎの気体噴出方向は、下方（鉛直下方）である。
一方、上側内側傾斜ノズル１４０ａｘは、円筒状をなすとともに、その中途部分において折り曲げられている。このため、上側内側傾斜ノズル１４０ａｘの基端部の側の略半部は、下方（鉛直下方）に向かっており、先端部の側の略半部は、下方（鉛直下方）に向かうにつれて幅方向壁部１１ａから離隔するように下方（鉛直下方）から傾斜している。
このため、上側内側傾斜ノズル１４０ａｘの気体噴出方向は、下方（鉛直下方）に向かうにつれて幅方向壁部１１ａから離隔するように下方（鉛直下方）から傾斜している。
【００４３】
同様に、多数の下側ノズル１４０ｂのうち、下側通常ノズル１４０ｂｎはまっすぐな円筒状をしており、下側通常ノズル１４０ｂｎの気体噴出方向は、上方（鉛直上方）である。
一方、下側内側傾斜ノズル１４０ｂｘは、円筒状をなすとともに、その中途部分において折り曲げられている。このため、下側内側傾斜ノズル１４０ｂｘの基端部の側の略半部は、上方（鉛直上方）に向かっており、先端部の側の略半部は、上方（鉛直下方）に向かうにつれて幅方向壁部１１ａから離隔するように上方（鉛直上方）から傾斜している。
このため、下側内側傾斜ノズル１４０ｂｘの気体噴出方向は、上方（鉛直上方）に向かうにつれて幅方向壁部１１ａから離隔するように上方（鉛直上方）から傾斜している。
【００４４】
この実施例１の熱風噴出乾燥装置（気体噴出処理装置）でも、参考例１の熱風噴出乾燥装置（気体噴出処理装置）と同様の作用効果が得られる。
そして、この実施例１の熱風噴出乾燥装置（気体噴出処理装置）では、上側内側傾斜ノズル１４０ａｘ／下側内側傾斜ノズル１４０ｂｘを含んで、すべての上側ノズル１４０ａ／下側ノズル１４０ｂが、その基端部において上側チャンバ３０ａの下面３１ａ／下側チャンバ３０ｂの上面３１ｂに対して垂直に設けられているために、その取付作業が参考例１の場合よりも容易である。
【００４５】
［参考例２］
次に、本発明の参考例２の熱風噴出乾燥装置（気体噴出処理装置）について、参考例１との相違点を中心に、図５に基づいて説明する。
【００４６】
この熱風噴出乾燥装置では、各上側チャンバ２３０ａ及び下側チャンバ２３０ｂのうち、一対の幅方向壁部１１ａの側の縁部において、次のようにされている（図５においては、下流側の幅方向壁部１１ａの側の縁部のみが示されているが、上流側の幅方向壁部１１ａの側の縁部においても同様である）。
なお、前述したように上側チャンバ２３０ａ及び下側チャンバ２３０ｂは対状をなしハウジング１０の長さ方向に沿って複数組設けられているため、上側チャンバ２３０ａ及び下側チャンバ２３０ｂの上流側の幅方向壁部１１ａの側の縁部とは、複数組の上側チャンバ２３０ａ及び下側チャンバ２３０ｂのうち、最も上流側の組の上側チャンバ２３０ａ及び下側チャンバ２３０ｂの上流側の幅方向壁部１１ａの側の縁部のことをいう。同様に、上側チャンバ２３０ａ及び下側チャンバ２３０ｂの下流側の幅方向壁部１１ａの側の縁部とは、複数組の上側チャンバ２３０ａ及び下側チャンバ２３０ｂのうち、最も下流側の組の上側チャンバ２３０ａ及び下側チャンバ２３０ｂの下流側の幅方向壁部１１ａの側の縁部のことをいう。
【００４７】
上側チャンバ２３０ａの下面２３１ａは、基本的には水平である。しかしながら、上側チャンバ２３０ａの下面２３１ａのうち上流側・下流側の各幅方向壁部１１ａ側の部分は、各幅方向壁部１１ａに向かうにつれて徐々に下方に向かうように、水平面から傾斜している。
上側チャンバ２３０ａの下面２３１ａのうち、その傾斜した部分のことを傾斜下面２３１ａｘということとする。一方、上側チャンバ２３０ａの下面２３１ａのうち、それ以外の水平な部分のことを通常水平下面２３１ａｎということとする。
【００４８】
上側チャンバ２３０ａの下面２３１ａに多数の上側ノズル２４０ａが設けられている。
多数の上側ノズル２４０ａのうち、通常水平下面２３１ａｎに設けられている上側ノズル２４０ａのことを上側通常ノズル２４０ａｎということとする。一方、傾斜下面２３１ａｘに設けられている上側ノズル２４０ａのことを上側内側傾斜ノズル２４０ａｘということとする。
【００４９】
各上側ノズル２４０ａは、まっすぐな円筒状をしている。そして、各上側ノズル２４０ａは、その基端部において、上側チャンバ２３０ａの下面２３１ａに対して垂直に設けられている。
このため、上側通常ノズル２４０ａｎの気体噴出方向は、下方（鉛直下方）である。
一方、上側内側傾斜ノズル２４０ａｘの気体噴出方向は、下方（鉛直下方）に向かうにつれて幅方向壁部１１ａから離隔するように下方（鉛直下方）から傾斜している。
【００５０】
上側内側傾斜ノズル２４０ａｘは、各幅方向壁部１１ａ側に近いものほど短くされている。また、上側通常ノズル２４０ａｎは、上側内側傾斜ノズル２４０ａｘよりも長くされてる。こうして、すべての上側ノズル２４０ａの先端部（下端部）は、ほぼ同一高さに位置している。
【００５１】
同様に、下側チャンバ２３０ｂの上面２３１ｂは、基本的には水平である。しかしながら、下側チャンバ２３０ｂの上面２３１ｂのうち上流側・下流側の各幅方向壁部１１ａ側の部分は、各幅方向壁部１１ａに向かうにつれて徐々に上方に向かうように、水平面から傾斜している。
下側チャンバ２３０ｂの上面２３１ｂのうち、その傾斜した部分のことを傾斜上面２３１ｂｘということとする。一方、下側チャンバ２３０ｂの上面２３１ｂのうち、それ以外の水平な部分のことを通常水平上面２３１ｂｎということとする。
【００５２】
下側チャンバ２３０ｂの上面２３１ｂに多数の下側ノズル２４０ｂが設けられている。
多数の下側ノズル２４０ｂのうち、通常水平上面２３１ｂｎに設けられている下側ノズル２４０ｂのことを下側通常ノズル２４０ｂｎということとする。一方、傾斜上面２３１ｂｘに設けられている下側ノズル２４０ｂのことを下側内側傾斜ノズル２４０ｂｘということとする。
【００５３】
各下側ノズル２４０ｂは、まっすぐな円筒状をしている。そして、各下側ノズル２４０ｂは、その基端部において、下側チャンバ２３０ｂの上面２３１ｂに対して垂直に設けられている。
このため、下側通常ノズル２４０ｂｎの気体噴出方向は、上方（鉛直上方）である。
一方、下側内側傾斜ノズル２４０ｂｘの気体噴出方向は、上方（鉛直上方）に向かうにつれて幅方向壁部１１ａから離隔するように上方（鉛直上方）から傾斜している。
【００５４】
下側内側傾斜ノズル２４０ｂｘは、各幅方向壁部１１ａ側に近いものほど短くされている。また、下側通常ノズル２４０ｂｎは、下側内側傾斜ノズル２４０ｂｘよりも長くされてる。こうして、すべての下側ノズル２４０ｂの先端部（上端部）は、ほぼ同一高さに位置している。
【００５５】
この参考例２の熱風噴出乾燥装置（気体噴出処理装置）でも、参考例１の熱風噴出乾燥装置（気体噴出処理装置）と同様の作用効果が得られる。
そして、この参考例２の熱風噴出乾燥装置（気体噴出処理装置）では、上側内側傾斜ノズル２４０ａｘ／下側内側傾斜ノズル２４０ｂｘを含んで、すべての上側ノズル２４０ａ／下側ノズル２４０ｂが、その基端部において上側チャンバ２３０ａの下面２３１ａ／下側チャンバ２３０ｂの上面２３１ｂに対して垂直に設けられているために、その取付作業が参考例１の場合よりも容易である。
また、この参考例２の熱風噴出乾燥装置（気体噴出処理装置）では、上側内側傾斜ノズル２４０ａｘ／下側内側傾斜ノズル２４０ｂｘを含んで、すべての上側ノズル２４０ａ／下側ノズル２４０ｂがまっすぐであるため、その製造が実施例１の場合よりも容易である。
【００５６】
なお、上記のものはあくまで本発明の一実施例にすぎず、当業者の知識に基づいて種々の変更を加えた態様で本発明を実施できることはもちろんである。
【００５７】
例えば、上側ノズル４０ａ，１４０ａ，２４０ａ／下側ノズル４０ｂ，１４０ｂ，２４０ｂのうち、幅方向壁部１１ａに最も近い列（１列）のみが、上側内側傾斜ノズル４０ａｘ，１４０ａｘ，２４０ａｘ／下側内側傾斜ノズル４０ｂｘ，１４０ｂｘ，２４０ｂｘとされてもよい。
【００５８】
また、コンベア（２０）は、上述のものに限らず、複数（多数）の孔を有し通気性を有する板（網状のものを含む）や、通気性を有さない板が、進行方向に複数（多数）連ねられた態様のものでもよい。
その場合、各支持部（１６）は、コンベア（２０）が往路部（２１ａ）と復路部（２１ｂ）との間を切り変わる際に、上記の板が上下に反転しない構造とされてもよい。その場合は、被処理物Ｗがコンベア（２０）の復路部（２１ｂ）上に位置する際にも乾燥処理がされるようにされてもよい。
【符号の説明】
【００５９】
１０  ハウジング
２０  コンベア
３０ａ，２３０ａ  上側チャンバ
３０ｂ，２３０ｂ  下側チャンバ
３１ａ，２３１ａ  下面
２３１ａｎ  通常水平下面
２３１ａｘ  傾斜下面
３１ｂ，２３１ｂ  上面
２３１ｂｎ  通常水平上面
２３１ｂｘ  傾斜上面
４０ａ，１４０ａ，２４０ａ  上側ノズル
４０ａｎ，１４０ａｎ，２４０ａｎ  上側通常ノズル
４０ａｘ，１４０ａｘ，２４０ａｘ  上側内側傾斜ノズル
４０ｂ，１４０ｂ，２４０ｂ  下側ノズル
４０ｂｎ，１４０ｂｎ，２４０ｂｎ  下側通常ノズル
４０ｂｘ，１４０ｂｘ，２４０ｂｘ  下側内側傾斜ノズル
【図１】
0005666261.tif 000002
【図２】
0005666261.tif 000003
【図３】
0005666261.tif 000004
【図４】
0005666261.tif 000005
【図５】
0005666261.tif 000006
【図６】
0005666261.tif 000007